(57)【要約】      （修正有）【課題】供給されるテープの端部に選択的に非粘着面を形成するようにすることができるロールテープ自動切断機を提供する。【解決手段】移送モータ及びローラー１１０によってロールテープ３００を移送供給するロールテープ移送装置１００と、供給されるロールテープを切断刃によって一定長さで切断する切断装置が具備されて、切断刃の内側に接合プレート５０が設置されて、昇降軸５２３によって切断刃と共に昇降されながらテープの端部を接合して非粘着面を形成するようになされたロールテープ自動切断機において、接合プレートの下端には昇降軸が引入されることができる収容溝５５が形成されていて、接合プレートの下側と昇降軸との間には係止金具５４０が水平に移動可能になるように設置されているし、係止金具を左、右に移動させるレバー５６０が回動可能に設置されて、このレバーの上端は係止金具に連結されて、レバーの下端は外部に引き出しされている。【選択図】図２
2014141349.tif 000002
【特許請求の範囲】
【請求項１】
移送モータ及びローラーによってロールテープ３００を移送供給するロールテープ移送装置１００と、供給されるロールテープを切断刃２１０によって一定長さで切断する切断装置２００が具備されて、前記切断刃２１０の内側で接合プレート５０が設置されて、昇降軸５２３によって前記切断刃と共に昇降されながらテープの端部を接合して、非粘着面を形成するようになされたロールテープ自動切断機において、
前記接合プレート５０の下端には、前記昇降軸５２３が引入されることができる収容溝５５が形成されていて、前記接合プレート５０の下側と昇降軸５２３との間には係止金具５４０が水平に移動可能になるように設置されているし、前記係止金具５４０を左、右に移動させるレバー５６０が回動可能に設置されて、このレバー５６０の上端は前記係止金具５４０に連結される構成を含んでなされることで、前記レバー５６０の操作で前記係止金具５４０を接合プレート５０と昇降軸５２３との間に選択的に位置させることができるようになされたことを特徴とするロールテープ自動切断機。
【請求項２】
前記接合プレート５０の裏には接合台あけ口６０が付着設置されて、この接合台あけ口６０には前記接合プレート５０に形成される収容溝５５と重なる長空６５が形成されて、前記昇降軸５２３が通過するようになされたことを特徴とする請求項１に記載のロールテープ自動切断機。
【請求項３】
前記係止金具５４０は、ネジ５５０によって組み立て支持されるが、前記ネジ５５０にはスプリング５５１が設置されて、係止金具５４０が常に接合プレート５０の下側で密着された状態を維持するようになされたことを特徴とする請求項１に記載のロールテープ自動切断機。
【請求項４】
前記係止金具５４０は、一端が前方に折曲されて係止片５４３を形成して、前記レバー５６０の上端部には係止溝５６２が形成されて、前記係止金具５４０の係止片５４３が挟まれて連結されるようになされたことを特徴とする請求項１に記載のロールテープ自動切断機。
【発明の詳細な説明】
【技術分野】
【０００１】
本発明は、ロールテープ自動切断機に関するものであり、特に、ロールテープの端部に非粘着面を選択的に形成するようになされたロールテープ自動切断機に関するものである。 
【背景技術】
【０００２】
一般に、製造業社で商品を出荷する時やデパート、大型割引売場などを含めた各種商店では販売する商品を包装してくれるようになるが、このように商品の包装時に効率的で迅速な作業のためにロール形態のテープを装着して包装時にテープを必要な長さで自動引き出しながら切断してくれるロールテープ自動切断機が使用されている。
【０００３】
このようなロールテープ自動切断機は、主要構成要素としてロールテープ移送装置とロールテープ切断装置を含む。
【０００４】
ロールテープ移送装置は、一般に移送モータと移送モータによって回転されるローラーを具備して、ローラーによって絡められられたロールテープが解けながら前進移送されるが、これに対する詳細な内容は、本出願人の考案である大韓民国実用新案公開番号、実開２０００-００１１４３６号(テープ移送構造体)に詳細に開示されていて、ロールテープ切断装置はロールテープ移送装置に設置されて、ローラーによって前進移送されて供給されるロールテープを一定長さで切断するようになるが、これに対する詳細な内容は本出願人の考案である実用新案登録番号第２０-０３９１５７７号(ロールテープ自動切断機用テープ切断装置)に詳細に開示されている。
【０００５】
特許文献１は、本出願人の先登録特許として、前述したロールテープ移送装置とロールテープ切断装置と併せてロールテープ切断装置によって切断されたロールテープの端部を粘着面どうしお互いに接合して、非粘着面を作る技術が含まれている。
【０００６】
特許文献１は、ロールテープ切断装置によって供給されたロールテープを利用して製品の包装や接着または粘着(以下、“粘着”と称する)をした後に粘着されたロールテープを引き離そうとする時、粘着されたテープを引き離すことが非常に不便であったし、粘着されたテープを引き離しにくくて、テープの角を掻き出して破れるか、または製品に破損をもたらす問題があるので、ロールテープの一側端部に非粘着面を作って粘着されないようにして、この非粘着面を取って容易にテープを引き離すようにしたものである。
【０００７】
しかし、テープによる包装作業においては、上のように非粘着面を形成してテープを易しく引き離すことができるものを願うこともあるが、場合によってテープが完全に密着されるようにして、きれいな包装を要する場合もあるようになるが、特許文献１は切断されるすべてのテープの端部に非粘着面を形成するようになることで、非粘着面がないテープの使用は全然使用できなくなる問題点があった。
【先行技術文献】
【特許文献】
【０００８】
【特許文献１】大韓民国特許第１１９２８４７号
【発明の概要】
【発明が解決しようとする課題】
【０００９】
本発明は、ロールテープ用自動切断機を使用するにおいて、必要によってテープの端部が折り畳まれた状態で切断供給されるようにするか、またはテープの端部が折り畳まれない状態で切断供給されるようにすることができて、消費者の任意的選択が可能なロールテープ用自動切断機の提供を目的とする。
【課題を解決するための手段】
【００１０】
移送モータ及びローラーによってロールテープを移送供給するロールテープ移送装置と、供給されるロールテープを切断刃によって一定長さで切断する切断装置が具備されて、前記切断刃の内側に接合プレートが設置されて、昇降軸によって前記切断刃と共に昇降されながらテープの端部を接合して、非粘着面を形成するようになされたロールテープ自動切断機において、前記接合プレートの下端には前記昇降軸が引入されることができる収容溝が形成されていて、前記接合プレートの下側と昇降軸との間には係止金具が水平に移動可能になるように設置されているし、前記係止金具を左、右に移動させるレバーが回動可能に設置されて、このレバーの上端は前記係止金具に連結されてレバーの下端は、外部に引き出しされている特徴がある。
【００１１】
これによって、前記レバーの操作によって係止金具を移動させるようになって、係止金具を昇降軸の上側に位置させれば、テープの切断時に昇降軸が上昇しながら係止金具と接合プレートを共に押し上げて切断されたテープの端部を折り畳むようになって、前記レバーを反対方向に反らして係止金具を昇降軸から脱した位置に移動させれば、テープの切断時に昇降軸は、接合プレートの収容溝内で上昇して接合プレートは、上昇しなくなって結局テープは切断されるだけで端部が折り畳まれなくなる。
【００１２】
前記係止金具は、一端が前方に折曲されて係止片を形成して、前記レバーの上端部には係止溝が形成されて、前記係止金具の係止片が挟まれて連結されるようにすることが望ましい。
【００１３】
本発明の他の特徴は、前記係止金具はネジによって接合プレートの裏に設置される接合台あけ口に組み立てされるが、前記ネジにはスプリングが設置されて、係止金具が常に接合プレートの下側で密着された状態を維持するようにするものである。
【発明の効果】
【００１４】
本発明は、テープの切断された端部を折り畳む接合プレートが上昇動作されることをレバーの操作によって制御するようにすることで、必要によってテープの端部を折り畳むか、または折らないようにすることを任意に選択して使用できるようにする効果を提供する。
【図面の簡単な説明】
【００１５】
【図１】従来テープ切断機の一例を示した斜視図である。
【図２】本発明によるテープ切断機の腰部を示した斜視図である。
【図３】本発明によるテープ切断機の主要部分を示した分離斜視図である。
【図４】前記図２でのテープの切断状態を示した説明図である。
【図５】本発明のレバーがテープ非折畳み状態でなされている腰部斜視図である。
【図６】前記図５でのテープの切断状態を示した説明図である。
【発明を実施するための形態】
【００１６】
本発明の具体的な内容を添付された実施例としての図面を参照して詳しく説明すれば次のようである。この過程で図面に示された線らの厚さや構成要素の大きさなどは、説明の明瞭性と便宜上誇張されて示されてあり得る。
【００１７】
また、後述される用語らは、本発明での機能を考慮して定義された用語らとしてこれは使用者、運用者の意図または慣例によって変わることがある。それで、このような用語らに対する定義は、本明細書の全般にわたった内容を土台にして下ろされなければならないであろう。
【００１８】
本発明の図面で同一部分の名称に対しては同一符号を適用した。
図１は、参考文献１で提示するテープ切断機を示した斜視図であり、図２は、本発明によるテープ切断機の腰部を示した斜視図であり、図３は、本発明によるテープ切断機の主要部分を示した分離斜視図であり、これらの図面を参照すると、本発明によるロールテープ自動切断機は、基本的に移送モータによってロールテープを前進移送させるローラーを有したロールテープ移送装置と、ロールテープ移送装置に設置されてローラーによって前進移送されて供給されるロールテープを一定長さで切断する切断刃を有したロールテープ切断装置を含んでいるし、前記ロールテープ移送装置とロールテープ切断装置の間に切断されたロールテープの端部を折り畳んで非粘着化させるロールテープ切断部の非点着化装置を具備しているものであり、このような本発明は基本的に参考文献１の構成を大部分取り揃えている。
【００１９】
特に、非点着化装置に関連された構成を説明すると、ベースブラケット１０、押し板スプリング２０、接合台３０、モータ４０、接合プレート５０、接合台あけ口６０などを含むベースブラケット１０はロールテープ移送装置に設置されて、押し板スプリング２０はベースブラケット１０に設置されるが、ベースブラケット１０に設置される胴体２１と、胴体２１の両側に設置されて接合台３０の両側を押してくれる一対の押し脚２２で構成される。
【００２０】
接合台３０は、押し板スプリング２０によって押されてベースブラケット１０に密着されて、接合プレート５０は接合台あけ口６０に密着されてモータ４０によって昇降可能に設置される。
【００２１】
モータ１０は、接合プレート５０を昇降させながら、それと共にロールテープ切断装置の切断刃２１０を昇降させて、上昇された切断刃２１０によってロールテープ３００が切断されながら切断されたロールテープ３００の端部３１０が接合プレート５０によって曲げられるようになっている。
【００２２】
プレート５０は、接合台あけ口６０と共に固定ブラケット５１に設置されて、固定ブラケット５１は昇降軸用垂直長空５１１が具備されてベースブラケット１０に設置固定されるが、固定ブラケット５１の昇降軸用垂直長空５１１を貫通する昇降軸５２３が設置されて、この昇降軸５２３が前記接合台あけ口６０を貫通して接合プレート５０の下端に位置するようになっている。
【００２３】
接合台あけ口６０は、接合プレート５０の内側に一体で固定設置されて、固定ブラケット５１の昇降軸用垂直長空５１１を貫通した昇降軸５２３が挟まれる長空６１１が形成されているし、モータ４０による接合プレート５０の上昇によって共に上昇して、ベースブラケット１０と接合台３０の離隔隙間で挟まれて、押し板スプリング２０の押し脚２２によって押されていた接合台３０の両側を持ち上げながら回動させて、ベースブラケット１０に密着されていた接合台３０を離隔させるあけ脚６２が形成されている。
【００２４】
言い替えれば、接合台あけ口６０は接合プレート５０に設置されて、接合プレート５０の上昇時に共に上昇されながら押し板スプリング２０によって押されてベースブラケット１０に密着された接合台３０をベースブラケット１０から離隔させて、上昇される接合プレート４０の上端がベースブラケット１０と接合台３０の離隔隙間４００に挟まれて入って行くようにする役割をして、固定台９０によって左右流動なしに昇降されるように設置される。
【００２５】
このようなロールテープ自動切断機において、本発明は前記テープ切断部の非点着化または粘着化を選択する手段がさらに具備されているし、ここではこの部分に対して重点的に説明することにする。
【００２６】
本発明による接合プレート５０は、接合台あけ口６０に付着して設置されているが、参考文献１での接合プレートと共に上端部が分岐窓で構成されることもできるが、図面でのように平板で構成されても関係ない。
【００２７】
接合プレート５０の下端には、前記昇降軸５２３が引入されることができる収容溝５５の下端が開放された形態で形成されていて、接合プレート５０と密着されている接合台あけ口６０にも前記収容溝５５に重なる長空６５が垂直で形成されている。
【００２８】
前記接合プレート５０の下側では係止金具５４０が水平に移動可能になるように設置されているが、この係止金具５４０はネジ５５０によって接合台あけ口６０に設置されているが、完全に固定されないで水平移動が可能になるように設置されて、設置された状態では接合プレート５０の下端に密着されて接合プレート５０が係止金具５４０に載せられた形態になる。
【００２９】
そして、係止金具５４０が接合プレート５０の下端に密着された状態を維持するために前記ネジ５５０にはスプリング５５１がさらに具備されて、係止金具５４０を接合台あけ口６０に密着させるようになって、接合台あけ口６０が昇降動作時に前記ネジ５５０の後端部が固定ブラケット５１に抵触することがないようにネジ５５０の後端部が移動することができるネジ用垂直長空５１２が固定ブラケット５１にさらに形成されている。
【００３０】
また、係止金具５４０がネジ５５０によって支持された状態で左、右に移動されることができるように係止金具５４０には水平長空５４１が形成されているし、係止金具５４０の移動によって係止金具５４０が接合プレート５０の下端に形成された収容溝５５を隠すか、または開放するようになって、係止金具５４０が収容溝５５を隠す位置では係止金具５４０が接合プレート５０と昇降軸５２３の間に位置するようになる。
【００３１】
ここで、係止金具５４０の一側下端には昇降軸５２３との安定的な接触のために係止突起５４２が形成されている。
【００３２】
係止金具５４０は、レバー５６０の操作によって左、右移動されるようになっているが、このために係止金具５４０の一端は前方に折曲されて、係止片５４３を形成するようになっていて、前記レバー５６０は係止金具５４０の前方で固定台９０に回動可能にピン５６１によって設置されているし、レバー５６０の一端には前記係止金具の係止片５４３が挟まれる係止溝５６２が形成されていて、レバー５６０の他端、すなわち、下端部は外部に引き出しされて操作することができる取っ手５６３でなされる。
【００３３】
このように構成される本発明の作用を説明すれば次のようである。
前記図２でのように係止金具５４０が接合プレート５０の収容溝５５を隠す位置にある場合には、ロールテープ３００の移動によって切断と折り畳みが共になされる作用をするようになるが、このような作用状態が図４に断面図として示されている。
【００３４】
この状態では係止金具５４０の係止突起５４２が昇降軸５２３に安着された形態として係止金具の下面と側面が昇降軸５２３に接触されて安定的な密着がなされるようになる。
【００３５】
ロールテープ移送装置１００によってロールテープ３００が一定長さでロールテープ切断装置２００に引き出しされて、このようにロールテープ切断装置２００を通過したロールテープ３００は、モータ４０が動作しながらロールテープ切断装置２００の切断刃２１０が上昇して、ロールテープを切断するようになる。
【００３６】
この時、モータ４０によって昇降軸５２３が上昇しながら切断刃２１０の上昇と共に昇降軸５２３によって接合プレート５０と接合台あけ口６０が共に上昇するようになる。
【００３７】
すなわち、昇降軸５２３が係止金具５４０を押し上げて接合プレート５０と接合台あけ口６０が共に上昇するようになるものである。
【００３８】
このように上昇される接合台あけ口６０のあけ脚６２の凸型部６２１によって押し板スプリング２０によって押されてベースブラケット１０に密着されているし、かけ台７０の係止穴７１に突き出ピン３１が挟まれて回転される接合台３０の両側が持ち上げられながらベースブラケット１０と接合台３０との間に離隔隙間４００を形成する。これによって切断刃２１０によって切断されたロールテープ端部３１０が粘着面同士にお互いに見合わせるように、上昇される接合プレート５０の上端によって曲げられながら接合プレート５０と共にベースブラケット１０と接合台３０の離隔隙間４００に入れ込められて折り畳まれるようになる。
【００３９】
このように接合台あけ口６０のあけ脚６２の凸型部６２１が接合台３０を持ち上げて形成された離隔隙間４００に接合プレート５０の上端によって曲げられて折り畳まれたロールテープの端部３１０が入っている状態でモータ４０の作動によって切断刃２１０と接合台あけ口６０及び接合プレート５０が共に降りるようになって、接合プレート５０の上端がベースブラケット１０と接合台３０の離隔隙間４００からすり抜けて来るようになる。
【００４０】
この時、離隔隙間４００に入れられて粘着面どうしにお互いに見合わせながら曲げられて折り畳まれていたロールテープ端部３１０は、離隔隙間４００でずっととどまるようになって、ロールテープ端部３１０の滑っこい非粘着面は接合台３０とベースブラケット１０と見合わせるようになるが、ロールテープの非粘着面が接合台３０の内側面にあるロールテープ滑り止めゴム板３３に接触されることによって接合プレート５０が離隔隙間４００から抜け出ても折り畳まれているロールテープ端部３１０は、離隔隙間４００から離脱されなくなる。
【００４１】
接合プレート５０がベースブラケット１０と接合台３０の離隔隙間４００からすり抜けて来て降りながら、それと共に接合台３０を持ち上げていた接合台あけ口６０のあけ脚６２も降りることによって押し板スプリング２０によって接合台３０が押されながら折り畳まれていたロールテープ端部３１０の粘着面を接合させる。
【００４２】
このように接合されて非粘着面を形成したロールテープ端部３１０は、移送モータ(図示せず)によってローラー１１０が後退されながら離隔隙間４００から引き出しされて後進して、水平にひろがりながら前進移送されてロールテープ切断装置２００を通過して引き出し供給される。
【００４３】
一方、図５は、本発明による係止金具及びレバーがテープの端部を折り畳まないようにする位置にそり返っている状態の斜視図であり、図６は、前記図５の状態でロールテープが供給される作用状態を示した断面図であり、この状態で機械が動作するようになれば、ロールテープの端部が折り畳まない一般的な状態で引き出し供給される。
【００４４】
すなわち、レバー５６０の取っ手５６３を操作して係止金具５４０を移動させて、この係止金具５４０が側方に移動されて接合プレート５０の収容溝５５下端が開放された状態になれば、この収容溝５５と接合台あけ口６０の長空６５は昇降軸５２３の移動を許容するようになって、この状態でモータ４０の動作で昇降軸５２３が上昇すれば、切断刃２１０だけ上昇してテープ３００が切断されて、接合プレート５０と接合台あけ口６０は上昇しないでもとの場所に位置することでテープの折り畳み作用が生じなくなる。
【００４５】
このようにレバー５６０の操作で係止金具５４０を移動させる操作だけでテープの端部に非粘着面を形成するか、または一般的な形態で引き出しされるようにできるものである。
【００４６】
以上で説明して図示したところのような実施例は、本発明の権利範囲を限定するものではなく、本発明の請求範囲に提示された構成要素の例示的な事項に過ぎない。例えば、本発明で適用される各種プレートやブラケットなどの構成要素らはその形状を必要によっていくらでも変更実施することができるはずであるし、組み立てされる位置も必要によって調節されることができるであろう。
【符号の説明】
【００４７】
１０  ベースブラケット
２０  押し板スプリング
２２  押し脚
３０  接合台
４０  モータ
５０  接合プレート
５１  固定ブラケット
５５  収容溝
６０  接合台あけ口
６２  あけ脚
６５  長空
８０  離隔口
９０  固定台
１００  ロールテープ移送装置
１１０  ローラー
２００  ロールテープ切断装置
２１０  切断刃
３００  ロールテープ
４００  離隔隙間
５１１  昇降軸用垂直長空
５１２  ネジ用垂直長空
５２３  昇降軸
５４０  係止金具
５４１  水平長空
５４２  係止突起
５４３  係止片
５５０  ネジ
５５１  スプリング
５６０  レバー
５６１  ピン
５６２  係止溝
５６３  取っ手
７００  テンション装置
【図１】
2014141349.tif 000003
【図２】
2014141349.tif 000004
【図３】
2014141349.tif 000005
【図４】
2014141349.tif 000006
【図５】
2014141349.tif 000007
【図６】
2014141349.tif 000008